(57)【要約】      （修正有）【課題】スカートズボンなどウエスト部分がゆるく固定出来ず困る時、ウエスト部分をズレないように下がらないように固定する事が出来る、一枚板状スカートズボンウエスト固定器を提供する。【解決手段】一枚板状スカート・ズボン、ウエスト固定器であって、数本の柱１〜３からなり、柱１〜３の接続部分に回転軸６を有し、一枚板状スカート・ズボン、ウエスト固定器を折り畳んだ状態の隙間部分に差し込んで固定する固定留１３を有する。【選択図】図１
0003216206.tif 000002
【実用新案登録請求の範囲】
【請求項１】
スカート・ズボン、ウエスト腰回り部分を固定留を上下左右にに差し込み巻き付け添わせ固定でき、固定留を前後左右に回転させ取り付け取り外しが出来る事を特徴とした一枚板状スカート・ズボン、ウエスト固定器。
【請求項２】
スカート・ズボン、ウエスト固定留を分離させ接続固定出来、回転させ前後左右、横に開け閉め広げたり狭めたり一枚一枚を取付け取り外しても固定して、サイズ調節出来る事を特徴とした請求項１記載の一枚板状スカート・ズボン、ウエスト固定器。
【考案の詳細な説明】
【技術分野】
【０００１】
本考案はスカートズボンのウエストが大きくてすぐにスカート・ズボンのサイズの調節が必要な時に活用する事が出来る。スカート・ズボン、ウエストの調節に関するものである。
【背景技術】
【０００２】
スカート・ズボンのウエストが大きく、すぐにスカート・ズボンのサイズ調節が必要な時、今までピンなどで固定するとスカート・ズボン、ウエスト部分に傷が入ったり、外れる可能性がありました。
【考案の概要】
【考案が解決しようとする課題】
【０００３】
スカート・ズボン、ウエスト部分にキズを入れずに固定でき、途中で外れる心配がなく、スカートウエスト部分を固定出来、いろいろなスカート・ズボンに取り付け、取り外し固定をすることが出来る。一枚板状スカートズボン、ウェスト固定器が必要です。
【課題を解決するための手段】
【０００４】
スカートズボンウエスト部分を重ね上から下に、スカートズボンウエスト固定器の中央柱右柱左柱の間にスカート・ズボンウエスト部分の素材を差込み横に曲げ幅を広げたり狭めたり曲げ固定できる箇所を増やし何処でも選べるように出来、サイズ調節が出来ます。形は一枚板状で前記出願記載のスカートズボンウエスト固定と同様、一枚板状スカート・ズボン、ウエスト固定は、同じ機能を兼ね備え、同じ方法を用いてもウエスト部分に取付る事が出来ます。一枚板状のスカートズボンウエスト固定器は中央柱左柱右柱が上下に回転して固定出来る事を可能にし、中央柱左柱右柱一枚づつ取り外し、スカート・ズボンの素材を調節して挟んだら、一枚板状の中央柱左柱右柱を取付て接続して固定する事が出来る事を可能にしました。
【考案の効果】
【０００５】
本考案の一枚板状スカート・ズボンウエスト固定器は、スカート・ズボンなど着用した時ウエスト部分がゆるくなり、ウエストに安定できず、ヒップ部分などまで下がりそうになり突然、困ってしまう時、スカート・ズボン、ウエスト固定は、いろいろなスカート・ズボン、に合わせウエスト、腰回りにサイズを調節して一枚板状スカート・ズボンウエスト固定器をスカートやズボンのウエスト腰回りに上から下に差し込みながら間に挟み固定する事とスカート・ズボンの腰回りウエスト部分に添って添わせ一枚板状スカート・ズボン、ウエスト固定器の中央柱右柱左柱部分を回転さして、スカート・ズボンの腰回り、ウエスト部分を挟み固定する事ができ出来ます。サイズ調整、広げたり狭めたりする箇所に応じて、備える事が出来ます。
一枚板スカート・ズボンウエスト固定器は、中央柱・右柱・左柱、と３箇所に折り曲げる事ができ分離していますが、一枚板スカート・ウエスト固定器の柱状と折り曲げる箇所を減らす事もいくつも増やす事も出来る事と、一枚板状スカート・ズボン固定器の中央柱・右柱・左柱と柱部分がが３枚、スカート・ズボンの腰回りウェスト部分を差し込み挟むためにありますが、差し込み挟む箇所を、いくつも増やす事が出来一枚・二枚にし凹凸部分を付け備え固定する事も出来ます。固定個所を調整する事が出来ます。前後表側裏側、上下左右に回転する部分を用いて調整して固定する事が出来、一枚一枚を取り外しても固定する事が出来る事を可能にしました。
【図面の簡単な説明】
【０００６】
【図１】一枚板状スカート・ズボン・ウエスト固定器、正面図
【図２】一枚板状スカート・ズボン・ウエスト固定器、正面図
【図３】一枚板状スカート・ズボン・ウエスト固定器留図
【図４】一枚板状スカート・ズボン・ウエスト固定器上から見たサイズ調整内側ライン図
【図５】一枚板状スカート・ズボン・ウエスト固定器回転軸図
【考案を実施する為の形態】
【０００７】
【実施例】
【０００８】
図１は、一枚板状スカート・ズボン・ウエスト固定器、正面から見た図です。一枚板状スカート・ズボンウエスト固定の中央柱を回転させスカート・ズボンウエスト部分を挟み調節出来固定する事が出来ます。中央柱左柱右柱の柱は増やす事も出来ます。２枚、１枚で備え使用する事が出来ます。一枚状スカート・ズボンウエスト固定器は曲げて使用する事も出来、全体の部分で使用しやすい厚み凹凸を付ける事も出来、横幅のサイズ柱枚数を選び備える事も出来ます。
【０００９】
図２は、一枚板状スカート・ズボン・ウエスト固定器、中央柱回転図です。
【００１０】
図３は、一枚板状スカート・ズボン・ウエスト固定器留図です。一枚板状スカート・ズボン固定器留は横幅・部分において厚さ凹凸をスカート・ズボンに合わせ使いやすくするために備える事が出来ます。一枚板状スカート・ズボンウエスト固定器留は一枚板状ウエスト・ズボン固定器に取り外す事なく取付ける事も出来、レールを備えサイズ移動をする事も出来ます。
【００１１】
図４は、一枚板状スカート・ズボン・ウエスト固定器の固定留を内側部分に備えた図です。
【００１２】
図５は、一枚板状スカート・ズボンウエスト固定器留は外側内側、上下・横左右・からも固定器留をめる事が出来、斜めからでも出来ます、形は、一枚板状スカート・ズボンウエスト固定器とスカート・ズボンウエスト部分を固定させる為に固定させるに上から回転軸は一枚板状スカート・ズボン・ウエスト固定器、正面中央柱、開け閉め部分は、いろいろなスカート・ズボンのウエストに固定出来、ウエスト腰周りにセット出来、横にずらして重ね狭めて固定する方法と、調節板を用いて重ねてずらし横幅調節する方法もできます。スカート・ズボン・ウエスト部分に重ね巻き付け横にずらし広げる事によりスカート・ズボン・ウエストを狭み調節する事が出来ます。一枚板状スカート・ズボン、ウエスト固定器と固定留はより止めやすくするために、好みにより凹凸部分を変化させ備える事も出来ます。  
【符号の説明】
【００１３】
１.  一枚板状スカートズボンウエスト固定器中央柱
２.  一枚板状スカートズボンウエスト固定器右柱
３．一枚板状スカートズボンウエスト固定器左柱
４．一枚板状スカートズボンウエスト固定器厚み板
５．一枚板状スカートズボンウエスト固定器留
６．一枚板状スカートズボンウエスト固定器回転軸
７．一枚板状スカートズボンウエスト固定器サイズ調節板留穴
８・一枚板状スカートズボンウエスト固定器調整横ライン
９・一枚板状スカートズボンウエスト固定器調整縦ライン
１０. 一枚状スカートズボンウエスト固定器内側留
１１. 一枚板状スカートズボンウエスト固定器上部全面留
１２. 一枚板状スカートズボンウエスト固定器留固定使用留
１３. 一枚板状スカートズボンウエスト固定器留固定留 
１４. 一枚板状スカートズボンウエスト固定器留取り付け取り外し留
１５. 一枚板状スカートズボンウエスト固定器留レール
【図１】
0003216206.tif 000003
【図２】
0003216206.tif 000004
【図３】
0003216206.tif 000005
【図４】
0003216206.tif 000006
【図５】
0003216206.tif 000007
【手続補正書】
【提出日】平成30年2月28日(2018.2.28)
【手続補正１】
【補正対象書類名】実用新案登録請求の範囲
【補正対象項目名】全文
【補正方法】変更
【補正の内容】
【実用新案登録請求の範囲】
【請求項１】
一枚板状スカート・ズボン、ウエスト固定器であって、柱からなり、数本の柱部分に回転軸を有していることを特徴とする一枚板状スカート・ズボン、ウエスト固定器。
【請求項２】
一枚板状スカート・ズボン、ウエスト固定器を折り畳んだ状態の隙間部分に差し込んで固定する固定留を有することを特徴とする、請求項１に記載の一枚板状スカート・ズボン、ウエスト固定器。
【手続補正２】
【補正対象書類名】図面
【補正対象項目名】図２
【補正方法】変更
【補正の内容】
【図２】
0003216206.tif 000008
【手続補正３】
【補正対象書類名】図面
【補正対象項目名】図４
【補正方法】変更
【補正の内容】
【図４】
0003216206.tif 000009